【手続補正書】
【提出日】令和3年3月15日(2021.3.15)
【手続補正１】
【補正対象書類名】特許請求の範囲
【補正対象項目名】全文
【補正方法】変更
【補正の内容】
【特許請求の範囲】
【請求項１】
液体を吐出する液体吐出ヘッドに供給される液体を収容する収容室と、
前記収容室に液体を供給可能な供給口と、
前記供給口に着脱自在に取り付けられ、前記収容室の外部から前記供給口の開口面を覆う覆部と、前記覆部が前記供給口から取り外された状態で前記覆部を支持可能な支持部と、前記収容室の外部に位置し、前記覆部に対して突出する凸部と、を備えた栓部材と、を備えた液体収容容器において、
前記覆部が前記供給口に取り付けられた状態で、前記開口面に直交する方向から見て、前記覆部の重心を通り、前記重心と前記支持部とを結ぶ直線に直交する直線に対して、一方側に前記凸部が配置され、他方側に前記支持部が配置されることを特徴とする液体収容容器。
【請求項２】
前記凸部は、前記覆部が前記供給口に取り付けられた状態で、前記覆部の、前記開口面に沿う上面に対して突出していることを特徴とする請求項１に記載の液体収容容器。
【請求項３】
前記凸部は、前記覆部が前記供給口に取り付けられた状態で、前記覆部の、前記開口面と略直交する側面に対して突出していることを特徴とする請求項１に記載の液体収容容器。
【請求項４】
前記凸部は、複数の凸部であることを特徴とする請求項３に記載の液体収容容器。
【請求項５】
前記覆部の側面に、溝が形成されていることを特徴とする請求項４に記載の液体収容容器。
【請求項６】
前記支持部は、前記覆部と一体で形成されていることを特徴とする請求項１ないし請求項５のいずれか１項に記載の液体収容容器。
【請求項７】
前記支持部は、前記覆部と別体で形成されていることを特徴とする請求項１ないし請求項５のいずれか１項に記載の液体収容容器。
【請求項８】
前記栓部材は、前記供給口に挿入されて前記供給口を塞ぐ栓部を備えることを特徴とする請求項１ないし請求項７のいずれか１項に記載の液体収容容器。
【請求項９】
前記栓部には突起部が設けられており、前記突起部によって前記供給口を塞ぐことを特徴とする請求項８に記載の液体収容容器。
【請求項１０】
前記栓部材は、前記供給口に挿入される部分を備えていない、キャップ式の部材であることを特徴とする請求項１ないし請求項７のいずれか１項に記載の液体収容容器。
【請求項１１】
前記覆部が前記供給口に取り付けられた状態で、前記開口面に直交する方向から見て、前記凸部の一部は、前記重心と前記支持部とを結ぶ前記直線の延長線の上に配置されることを特徴とする請求項１ないし請求項１０のいずれか１項に記載の液体収容容器。
【請求項１２】
前記覆部が前記供給口に取り付けられた状態で、前記開口面に直交する方向から見て、前記凸部は前記一方側における前記覆部の端部に対して突出していることを特徴とする請求項１ないし請求項１１のいずれか１項に記載の液体収容容器。
【請求項１３】
前記覆部が前記供給口に取り付けられた状態で、前記開口面に直交する方向から見て、前記支持部の一部は、前記重心と前記支持部とを結ぶ前記直線の延長線の上に配置されることを特徴とする請求項１ないし請求項１２のいずれか１項に記載の液体収容容器。
【請求項１４】
前記支持部は、前記覆部と、前記栓部材とは別の部材と、を接続していることを特徴とする請求項１ないし請求項１３のいずれか１項に記載の液体収容容器。
【請求項１５】
前記収容室と前記供給口とが設けられた収容容器本体を備え、
前記別の部材は前記収容容器本体であることを特徴とする請求項１４に記載の液体収容容器。
【請求項１６】
前記凸部は先端に出張り形状が設けられていることを特徴とする請求項１ないし請求項１５のいずれか１項に記載の液体収容容器。
【請求項１７】
液体を吐出する液体吐出ヘッドに供給される液体を収容する収容室と、
前記収容室に液体を供給可能な供給口と、
前記供給口に着脱自在に取り付けられ、前記収容室の外部から前記供給口の開口面を覆う覆部と、前記覆部が前記供給口から取り外された状態で前記覆部を支持可能な支持部と、前記覆部を前記供給口から取り外す際に力を加えられるつまみ部と、を備えた栓部材と、
を備えた液体収容容器において、
前記覆部が前記供給口に取り付けられた状態で、前記開口面に直交する方向から見て、前記覆部の重心を通り、前記重心と前記支持部とを結ぶ直線に直交する直線に対して、一方側に前記つまみ部が配置され、他方側に前記支持部が配置されることを特徴とする液体収容容器。
【請求項１８】
前記つまみ部は、前記覆部が前記供給口に取り付けられた状態で、前記覆部の、前記開口面に沿う上面に対して突出していることを特徴とする請求項１７に記載の液体収容容器。
【請求項１９】
前記つまみ部は、前記覆部が前記供給口に取り付けられた状態で、前記覆部の、前記開口面と略直交する側面に対して突出していることを特徴とする請求項１７に記載の液体収容容器。
【請求項２０】
前記支持部は、前記覆部と一体で形成されていることを特徴とする請求項１７ないし請求項１９のいずれか１項に記載の液体収容容器。
【請求項２１】
前記支持部は、前記覆部と別体で形成されていることを特徴とする請求項１７ないし請求項１９のいずれか１項に記載の液体収容容器。
【請求項２２】
前記栓部材は、前記供給口に挿入されて前記供給口を塞ぐ栓部を備えることを特徴とする請求項１７ないし請求項２１のいずれか１項に記載の液体収容容器。
【請求項２３】
前記栓部材は、前記供給口に挿入される部分を備えていない、キャップ式の部材であることを特徴とする請求項１７ないし請求項２１のいずれか１項に記載の液体収容容器。
【請求項２４】
前記覆部が前記供給口に取り付けられた状態で、前記開口面に直交する方向から見て、前記つまみ部の一部は、前記重心と前記支持部とを結ぶ前記直線の延長線の上に配置されることを特徴とする請求項１７ないし請求項２３のいずれか１項に記載の液体収容容器。
【請求項２５】
前記覆部が前記供給口に取り付けられた状態で、前記開口面に直交する方向から見て、前記つまみ部は前記一方側における前記覆部の端部に対して突出していることを特徴とする請求項１７ないし請求項２４のいずれか１項に記載の液体収容容器。
【請求項２６】
前記覆部が前記供給口に取り付けられた状態で、前記開口面に直交する方向から見て、前記支持部の一部は、前記重心と前記支持部とを結ぶ前記直線の延長線の上に配置されることを特徴とする請求項１７ないし請求項２５のいずれか１項に記載の液体収容容器。
【請求項２７】
前記支持部は、前記覆部と、前記栓部材とは別の部材と、を接続していることを特徴とする請求項１７ないし請求項２６のいずれか１項に記載の液体収容容器。
【請求項２８】
前記収容室と前記供給口とが設けられた収容容器本体を備え、
前記別の部材は前記収容容器本体であることを特徴とする請求項２７に記載の液体収容容器。
【請求項２９】
前記つまみ部は先端に出張り形状が設けられていることを特徴とする請求項１７ないし請求項２８のいずれか１項に記載の液体収容容器。
【請求項３０】
液体を吐出する液体吐出ヘッドと、
請求項１ないし請求項２９のいずれか１項に記載の液体収容容器と、
を備えたことを特徴とする液体吐出装置。
【請求項３１】
前記液体収容容器が内部に組み込まれた装置本体を備えることを特徴とする請求項３０に記載の液体吐出装置。
【請求項３２】
前記液体収容容器が前記装置本体の内部に組み込まれた状態で、前記供給口から前記覆部が取り外されて前記供給口から前記収容室に液体を供給可能であることを特徴とする請求項３１に記載の液体吐出装置。
【手続補正２】
【補正対象書類名】明細書
【補正対象項目名】０００７
【補正方法】変更
【補正の内容】
【０００７】
そのため本発明の液体収容容器は、液体を吐出する液体吐出ヘッドに供給される液体を収容する収容室と、前記収容室に液体を供給可能な供給口と、前記供給口に着脱自在に取り付けられ、前記収容室の外部から前記供給口の開口面を覆う覆部と、前記覆部が前記供給口から取り外された状態で前記覆部を支持可能な支持部と、前記収容室の外部に位置し、前記覆部に対して突出する凸部と、を備えた栓部材と、を備えた液体収容容器において、前記覆部が前記供給口に取り付けられた状態で、前記開口面に直交する方向から見て、前記覆部の重心を通り、前記重心と前記支持部とを結ぶ直線に直交する直線に対して、一方側に前記凸部が配置され、他方側に前記支持部が配置されることを特徴とする。